(57)【要約】【課題】本発明は、堤防の嵩上げに使用する土木資材の提案にある。【解決手段】本発明は、平盤部と平盤部表面に開口する筒部からなる土木資材であって、当該土木資材の筒部は矩形錐戴形状を有し、当該筒部の頂部には係合部が設けられ、前記土木資材の筒部が接する平盤部の裏側には、土木資材を互いに逆さまにして筒部同士の側面を接して配置する時、前記係合部に嵌合する係合受け部が二つの土木資材を並べたときその二つの土木資材の間に形成されるよう、当該筒部が平盤部に接する場所から平盤部端部に向かって溝部若しくは空間が設けられた土木資材である。【選択図】図１
2011042982.tif 000002
【特許請求の範囲】
【請求項１】
平盤部と平盤部表面に開口する筒部からなる土木資材であって、当該土木資材の筒部は矩形錐戴形状を有し、当該筒部の頂部には係合部が設けられ、前記土木資材の筒部が接する平盤部の裏側には、土木資材を互いに逆さまにして筒部同士の側面を接して配置する時、前記係合部に対応する係合受け部を形成する溝部若しくは空間が、当該筒部が平盤部に接する場所から平盤部端部に向かって設けられ、当該係合受け部に前記係合部が嵌合可能とされる土木資材。
【発明の詳細な説明】
【技術分野】
【０００１】
本発明は、洪水時における堤防の嵩上げに使用する土木資材技術に属する。
【背景技術】
【０００２】
水害時などに河川、湖沼などの氾濫を防ぐために麻袋等の丈夫な袋に土砂等の充填物を入れた土嚢を積み上げ堤防を嵩上げして決壊を防止することが古来より行われている。特開2002-69964、特開2001-81752には吸水性の高分子を充填した袋を用意し、吸水することでその体積重量を増大し土嚢として利用する提案がなされている。また特開2006-283505、特開2002-30669には上下に開口する枠体を多数前後左右に配列し内部に土嚢もしくは土壌を充填して堤防の嵩上げに使用する方法が提案されている。
いずれの方法も土壌の存在を必要とし、都市化の進んだ地域では決壊のおそれのある緊急時に必要な量の土壌を入手することは不可能となった。
そのため、土壌の入手困難な場所においても堤防の嵩上げが可能な土木資材の提案にある。
【先行技術文献】
【特許文献】
【０００３】
【特許文献１】特開2002-69964
【特許文献２】特開2001-81752
【特許文献３】特開2006-283505
【特許文献４】特開2002-30669
【発明の開示】
【発明が解決しようとする課題】
【０００４】
本発明は、堤防の嵩上げに使用する土木資材の提案にある。
【課題を解決するための手段】
【０００５】
本発明は、平盤部と平盤部表面に開口する筒部からなる土木資材であって、当該土木資材の筒部は矩形錐戴形状を有し、当該筒部の頂部には係合部が設けられ、前記土木資材の筒部が接する平盤部の裏側には、土木資材を互いに逆さまにして筒部同士の側面を接して配置する時、前記係合部に嵌合する係合受け部が二つの土木資材を並べたときその二つの土木資材の間に形成されるよう、当該筒部が平盤部に接する場所から平盤部端部に向かって溝部若しくは空間が設けられた土木資材である。
【発明の効果】
【０００６】
本発明の土木資材は、（１）平盤部と平盤部に開口する矩形錐戴の筒部からなり、当該筒部の頂部には係合部が設けられ、（２）土木資材の筒部が接する平盤部の裏側には、当該筒部が平盤部に接する場所から平盤部端部に向かって溝部若しくは空間を設け、（３）この溝部若しくは空間が、土木資材を二つ配列したとき、その配列した土木資材の間に、土木資材を逆さまにした時にその筒部頂部に設けた係合部が嵌合する係合受け部となるようにしたので、本土木資材を互いに上下逆さまにして、筒部を相接するように配置することで直線状に配列が可能となる。
【図面の簡単な説明】
【０００７】
【図１】は、土木資材の形状を示す概念図である。
【図２】は、土木資材の他の例を示す概念図である。
【図３】は、土木資材を上下に組み合わせて直線状に一段並べた状態を示す概念図である。
【図４】は、土木資材を上下に組み合わせて多段に並べた状態を示す概念図である。
【図５】は、土木資材を雨水等の貯留浸透施設用の貯留材と使用した例を示す概念図である。
【発明を実施するための形態】
【０００８】
以下、本発明を図によって、より詳細に説明する。
図１は、本発明の土木資材の平面図及び断面図である。
本土木資材は、図に示すとおり、平盤部と筒体部からなる。
平盤部は、図１ａ、図１ｂに示すように、筒体部の両側に縁部としてあるものでもよい。図１ｃに示すように筒体部を囲うように存在するものでもよい。
筒体部は矩形錐戴形状を有し、平盤部の表面に開口している状態にある。
本図では、筒体部は正四角錐戴形状を有し、筒体部の頂部がそのまま係合部となっている。平盤部の筒体部が開口する側を表面とすれば、平盤部の裏面には筒体部が突出し、裏面の平盤部と筒体部の接する際から長手方向に平盤部の中央に平盤部端部に向かう溝部が設けられ、二つの土木資材を横に並べたとき、両者の溝部が合わさり係合受け部となる。
土木資材を二個長手方向に並べると、その中央に2つの溝部で形成される正方形の凹部が係合受け部として形成される。図３に示すように、本土木資材を上下に逆さまにし、筒体部同士の側面が接するように組み合わせる時、この係合受け部に上方からの土木資材の筒体部の頂部が嵌合する。
【０００９】
図１ａは、本土木資材の基本構造を示している。図１ｂは、直線状に配列するときの強度維持を図るため筒部頂部と溝部にそれぞれ雄雌に相当する継ぎ手部を設けた例である。また、図１ｃに示した土木資材は、本土木資材を多段に設ける際、上下方向の結合を計れるよう縁部を設け、縁部に係合用のボルト孔を設けた例である。
【００１０】
図２は、本土木資材の他の例を示す。平面図とＡ−Ａ‘線での断面図及び２つの土木資材を逆さまにその筒部側面を接するように配置した状態を示している。図２ａは、筒部頂部に係合部をその頂部の両側を切り欠いた形状とし、長方形の突部とし、その高さを平盤部の厚みと等しくしくしてある。そのため、係合受け部は、平盤部の端部間で形成される隙間となる。
図２ｂは、筒部頂部に正方形の係合部を設け、その高さを平盤部と同じ厚さとした例である。係合受け部はコ形及び逆コ形となり、２つの土木資材を並べたとき図に示すように、係合部が挿入可能な正方形の係合受け部を形成している。
図２ｃは図２ｂに示す本土木資材の係合受け部を直線状ではなく直角となるよう設けた例である。直線状以外に直角に向きを変える必要があるときに使用するものである。
【００１１】
図３ａは、図１ａに示す本土木資材を直線状に配列した状態を示している。図３ｂは、本土木資材を一列直線状に配列した上から、半ブロックずらして上方の土木資材の係合部が下方土木資材２つから形成される正方形の凹部である係合受け部に嵌合するように配置したものである。
このように配列することで、本土木資材の配列に対して横方向からの力が掛かる場合、その力に対抗する能力が増大する。
【００１２】
図４は、本土木資材を図３ｂに示すように上下半ブロックづつずらして対にしたものを直線状に並べ、更にその上に同じように配列した状態を示している。必要に応じて更に多段に配列することができる。本土木資材を配列するときその配列された直線の端部は、半分の土木資材を用意して端部が直線状にすることが好ましい。
前述したように適宜上下の土木資材間をボルト、ナット等で固定することが好ましい。
【００１３】
本土木資材は、鉄板、コンクリート、プラスチック、ＦＲＰなど適宜な材料が選択可能である。人力による設置の場合を考慮し軽量なＦＲＰ製などとしておく場合、必要に応じて土木資材の頂部を開口し、砂利等を筒部内に充填できるようにしておくことができる。
【産業上の利用可能性】
【００１４】
本発明は、堤防の決壊場所あるいは決壊のおそれのある場所に直線状に配列し、堤防の嵩上げ等土嚢に代えて使用することができる。また、図５に示すように、かかるブロックをその用途に応じた遮水あるいは浸透シートで包んだ、雨水の流出抑制、雨水の有効利用を目的とする貯留浸透施設の貯水ブロックとして使用可能である。
【符号の説明】
【００１５】
１  土木資材
１１  平盤部
１２  筒部
３  係合部
４  溝部
５  係合受け部
６  継ぎ手
【図１】
2011042982.tif 000003
【図２】
2011042982.tif 000004
【図３】
2011042982.tif 000005
【図４】
2011042982.tif 000006
【図５】
2011042982.tif 000007